(57)【要約】【課題】低床浴室ユニットの排水トラップであって、浴室ユニットの部品数増加を招くことなく、浴室ユニットの低床化に伴う、排水トラップの排水管接続口の低下を防止でき、前記接続口から延びる排水管の傾斜減少を防止でき、ひいては浴室ユニットの低床化に伴う排水トラップからの排水不良を防止できる、排水トラップを提供する。【解決手段】浴室ユニットの洗い場床に取り付けられる排水トラップであって、排水トラップ上面が傾斜している。【選択図】  図１
2004183411.tif 000002
【特許請求の範囲】
【請求項１】
浴室ユニットの洗い場床に取り付けられた排水トラップであって、排水トラップ上面が傾斜していることを特徴とする浴室ユニットの排水トラップ。
【請求項２】
排水トラップ上面の高い方の部位の近傍に排水管接続口が配設されていることを特徴とする浴室ユニットの排水トラップ。
【請求項３】
排水トラップの深さが、排水トラップ上面の低い方の部位から高い方の部位へ向けて増加していることを特徴とする請求項１又は２に記載の浴室ユニットの排水トラップ。
【発明の詳細な説明】
【０００１】
【発明の属する技術分野】
本発明は、低床浴室ユニットの排水トラップに関するものである。
【０００２】
【従来の技術】
【特許文献１】特開平９−４００６号
隣接する脱衣室の区画から浴室ユニットへ入る際の跨ぎ高さを低減させてバリアフリーを実現すべく、建築躯体床からの設置高さを低減させた低床浴室ユニットにおいて、排水トラップからの排水不良を防止する技術として、特許文献１は、浴室ユニットの傾斜した床の最下部以外の部位に排水トラップを配設し、傾斜した床の最下部に排水口を形成し、導管を介して排水口を排水トラップの封水部に接続することを提案している。
特許文献１の技術によれば、浴室ユニットの低床化に伴う、排水トラップの排水管接続口の低下を防止でき、排水管接続口から延びる排水管の傾斜低減を防止でき、排水トラップからの排水不良を防止できる。
【０００３】
【発明が解決しようとする課題】
特許文献１の技術には、浴室ユニットの傾斜した床の最下部に形成した排水口と排水トラップとを連結する導管を配設するので、浴室ユニットの部品数が増加するという問題がある。
本発明は上記問題に鑑みてなされたものであり、低床浴室ユニットの排水トラップであって、浴室ユニットの部品数増加を招くことなく、浴室ユニットの低床化に伴う、排水トラップの排水管接続口の低下を防止でき、前記接続口から延びる排水管の傾斜減少を防止でき、ひいては浴室ユニットの低床化に伴う排水トラップからの排水不良を防止できる、排水トラップを提供することを目的とする。
【０００４】
【課題を解決するための手段】
上記課題を解決するために、本発明においては、浴室ユニットの洗い場床に取り付けられた排水トラップであって、排水トラップ上面が傾斜していることを特徴とする浴室ユニットの排水トラップを提供する。
上面が水平に延在する排水トラップの上面の一端を支持点として、排水トラップを前記支持点の回りに回動させ、排水トラップの上面を傾斜させると、排水トラップの排水管接続口は、上面が水平に延在していた時よりも上方へ移動する。従って、浴室ユニットの傾斜した床の最下部に排水トラップを取り付けた場合でも、排水トラップの上面を前記床の傾斜とは逆方向に傾斜させることにより、浴室ユニットの低床化に伴う、排水トラップの排水管接続口の低下を防止でき、前記接続口から延びる排水管の傾斜低減を防止でき、ひいては浴室ユニットの低床化に伴う排水トラップからの排水不良を防止できる。浴室ユニットの傾斜した床の最下部に排水トラップを取り付けることにより、特開平９−４００６号の開示技術が備える導管が不要となり、浴室ユニットの低床化に伴う浴室ユニットの部品数の増加が防止される。
【０００５】
本発明の好ましい態様においては、排水トラップ上面の高い方の部位の近傍に排水管接続口が配設されている。
排水トラップ上面の最高部と最低部との中間部の近傍に排水管接続口を配設する場合に比べて、排水管接続口の位置が上昇するので、最大限当該上昇分だけ、浴室ユニットを更に低床化できる。
【０００６】
本発明の好ましい態様においては、排水トラップの深さが、排水トラップ上面の低い方の部位から高い方の部位へ向けて増加している。
排水トラップの深さを、排水トラップ上面の低い方の部位から高い方の部位へ向けて増加させることにより、排水トラップと建築躯体床との干渉を防止できる。
【０００７】
【発明の実施の形態】
本発明の実施例に係る浴室ユニットの排水トラップを説明する。
図１に示すように、逆碗型の排水トラップ１は、上端が開放され下端が閉鎖された有底筒状の溜水部２と、溜水部２を取り巻き上端が溜水部２の上端よりも上方にあり下端から径方向内方へ延びる底壁が溜水部２の側壁に達する排水外筒３とを備えている。排水外筒３の開放された上端に環状蓋４が固定されている。溜水部２の上端面を含む平面は、排水トラップ１内に貯留される排水の最高水面である封水面αを形成している。排水外筒３の側壁に排水口３ａが形成されている。上端に外フランジ５ａが形成された封水筒５が溜水部２に挿入されている。封水筒５の上端は溜水部２の上端よりも上方にあり、下端は封水面αよりも下方に在り、且つ少なくとも下端の一部は溜水部２の底壁から上方へ隔てられている。
外フランジ状の上端部６ａと内フランジ状の下端部６ｂと中央筒部６ｃとを有する取付フランジ６が配設されている。下端部６ｂは、気密パッキン７を介して封水筒５の外フランジ５ａに下方から係合し、封水筒５を支持している。中央筒部６ｃは環状蓋４に螺合している。上端部６ａは、環状蓋４と共働し、水密パッキン８を介して、浴室ユニットの傾斜した洗い場床２００の最下部に形成された排水ピット２０１の排水穴周縁を挟持し、排水外筒３と溜水部２とを洗い場床２００に取り付けている。
排水トラップの上面を形成する取付フランジ６は、洗い場床２００の傾斜と逆方向に傾斜している。この結果、排水トラップ１全体が、洗い場床２００の傾斜と逆方向に傾斜している。
排水口３ａは、排水トラップ１上面の高い方の部位の近傍に配設されている。
排水トラップ１の深さは、排水トラップ１上面の低い方の部位から高い方の部位へ向けて増加している。
取付フランジ６の上端部６ａ上面の洗い場床２００の最下部に対峙する部位６ｄは、洗い場床２００の最下部よりも下方に位置決めされている。取付フランジ６の上端部６ａの上面は、径方向内方へ漏斗状に下方傾斜している。
【０００８】
排水トラップ１においては、洗い場床２００上の排水が、傾斜した洗い場２００の最下部から、取付フランジ６の上端部６ａの漏斗状に下方傾斜した上面と封水筒５とを通って溜水部２へ流入し、封水面αから排水外筒３へ溢れ出し、排水口３ａから図示しない排水管へ排出される。
【０００９】
図２から分かるように、実線で示すように上面が水平に延在する排水トラップ１の上面の一端を支持点として、排水トラップ１を前記支持点の回りに回動させ、破線で示すように排水トラップ１の上面を傾斜させると、排水トラップ１の排水口３ａは、上面が水平に延在していた時よりも上方へ移動する。従って、浴室ユニットの傾斜した洗い場床２００の最下部に排水トラップ１を取り付けた場合でも、排水トラップ１の上面を洗い場床２００の傾斜とは逆方向に傾斜させることにより、浴室ユニットの低床化に伴う、排水トラップ１の排水口３ａの低下を防止でき、排水口３ａから延びる排水管の傾斜減少を防止でき、ひいては浴室ユニットの低床化に伴う排水トラップの排水不良を防止できる。浴室ユニットの傾斜した洗い場床２００の最下部に排水トラップ１を取り付けることにより、特開平９−４００６号の開示技術が備える導管が不要となり、浴室ユニットの低床化に伴う浴室ユニットの部品数の増加が防止される。
【００１０】
図３から分かるように、実線で示すように上面を傾斜させた排水トラップ１において、排水トラップ１上面の最高部と最低部との中間部の近傍に配設した排水口３ａを、破線で示すうように排水トラップ１上面の最高部の近傍へ移動させると、排水口３ａの位置が上昇するので、最大限当該上昇分だけ、浴室ユニットを更に低床化できる。
図３から分かるように、実線で示すように上面を傾斜させた排水トラップ１において、破線で示すように溜水部２の底部を斜めにカットして、排水トラップ１の深さを、排水トラップ１上面の低い方の部位から高い方の部位へ向けて増加させると、排水トラップ１と建築躯体床３００との間の隙間が増加し、排水トラップ１と建築躯体床３００との干渉が防止される。
【００１１】
図１に示す排水トラップ１は、図２、３の破線で示した構成を重ね合わせた構成を備えている。従って、図１の排水トラップ１を使用することにより、浴室ユニットの部品数の増加を招くことなく、浴室ユニットの低床化に伴う排水口３ａの低下を防止して排水トラップからの排水不良を防止し、浴室ユニットを更に低床化し、排水トラップ１と建築躯体床３００との干渉を防止することができる。
図１に示す排水トラップ１においては、取付フランジ６の上端部６ａ上面の洗い場床２００の最下部に対峙する部位６ｄは、傾斜した洗い場床２００の最下部よりも下方に位置決めされているので、洗い場床２００上の排水を、残水を生ずることなく取付フランジの上端部６ａへ流入させることができる。また、取付フランジ６の上端部６ａの上面は径方向内方へ漏斗状に下方傾斜しているので、取付フランジの上端部６ａへ流入した排水は、支障無く上端部６ａ上面を流れて封水筒５へ流入できる。
【００１２】
排水トラップ１においては、浴室ユニットの低床化に伴って排水ピット２０１が浅くなると、傾斜した取付フランジ６の上部が、洗い場床２００の最下部よりも上方へ突出することになる。従って、美観上、洗い場床２００の構成を工夫する必要がある。
美観上許容できる洗い場床２００の構成を以下に例示する。
図４に示すように、浴槽４００に隣接する洗い場床２００の一隅が最下部となるように洗い場床２００を傾斜させ、当該一隅に排水トラップ１を配設する。前記一隅を含む洗い場床２００の一辺を所定幅に亘って盛り上げて、洗面器や洗剤容器等を置くためのローカウンター２００ａを形成する。ローカウンター２００ａの一部を着脱可能なトラップカバー８として構成し、排水トラップ１を浴室利用者の視線から遮蔽する。トラップカバー８には、洗い場床２００から排水トラップ１への排水流入を許容するための開口を形成する。排水トラップ１から延びる排水管５００は、ローカウンター２００ａの下方で延在させる。
図５に示すように、浴槽４００に隣接する洗い場床２００の一辺中央部が最下部となるように洗い場床２００を傾斜させ、当該一辺の中央部に排水トラップ１を配設する。前記一辺を所定幅に亘って盛り上げて、浴槽跨ぎ高さ低減用のステップ２００ｂを形成する。ステップ２００ｂの一部を着脱可能なトラップカバー８として構成し、排水トラップ１を浴室利用者の視線から遮蔽する。トラップカバー８には、洗い場床２００から排水トラップ１への排水流入を許容するための開口を形成する。排水トラップ１から延びる排水管５００は、ステップ２００ｂの下方で延在させ、或いはステップ２００ｂの下方とステップ２００ｂの両端から延びる洗い場床２００の一辺の下方とに亘って延在させる。浴槽４００に隣接する洗い場床２００の一辺が、洗い場床２００から洗い場床２００よりも低い浴槽載置部床への洗い場排水の流入を防止するために予め所定幅に亘って盛り上げられている場合には、ステップ２００ｂを形成せず、前記盛り上げ部の直下に排水トラップ１を配設し、盛り上げ部の一部を着脱可能なトラップカバー８として構成しても良い。尚前記盛り上げ部は、一般に浴槽のリム部から垂下するエプロンにより浴室利用者の視線から遮蔽されている。
図６に示すように、浴槽４００に隣接する洗い場床２００の一隅から延びる洗い場床２００の一辺の中央部が最下部となるように洗い場床２００を傾斜させ、当該一辺の中央部に排水トラップ１を配設する。洗い場床２００の前記一辺を所定幅に亘って盛り上げて、洗面器や洗剤容器等を置くためのローカウンター２００ｃを形成する。ローカウンター２００ｃの一部を着脱可能なトラップカバー８として構成し、排水トラップ１を浴室利用者の視線から遮蔽する。トラップカバー８には、洗い場床２００から排水トラップ１への排水流入を許容するための開口を形成する。排水トラップ１から延びる排水管５００は、ローカウンター２００ｃの下方で延在させ、或いはるローカウンター２００ｃの下方と浴槽４００に隣接する洗い場床２００の一辺下方とに亘って延在させ、或いはローカウンター２００ｃの下方と浴槽４００から離隔した場床２００の一辺下方とに亘って延在させる。
【００１３】
低床ではない通常の浴室ユニットにおいても、上面を傾斜させて排水トラップを排水ピットに取り付けることにより、排水口の高さを上昇させ、排水トラップの排水性能を向上させることができる。この場合には、一般に、排水トラップの上面は洗い場床の最下部よりも上方へ突出しないので、洗い場床にローカウンターを形成する必要は無い。
【００１４】
【発明の効果】
上面が水平に延在する排水トラップの上面の一端を支持点として、排水トラップを前記支持点の回りに回動させ、排水トラップの上面を傾斜させると、排水トラップの排水管接続口は、上面が水平に延在していた時よりも上方へ移動する。従って、浴室ユニットの傾斜した床の最下部に排水トラップを取り付けた場合でも、排水トラップの上面を前記床の傾斜とは逆方向に傾斜させることにより、浴室ユニットの低床化に伴う、排水トラップの排水管接続口の低下を防止でき、前記接続口から延びる排水管の傾斜低減を防止でき、ひいては浴室ユニットの低床化に伴う排水トラップからの排水不良を防止できる。浴室ユニットの傾斜した床の最下部に排水トラップを取り付けることにより、特開平９−４００６号の開示技術が備える導管が不要となり、浴室ユニットの低床化に伴う浴室ユニットの部品数の増加が防止される。
【図面の簡単な説明】
【図１】本発明の実施例に係る排水トラップを取り付けた浴室ユニットの部分断面図である。
【図２】排水トラップの傾斜と排水口の高との関係を示す排水トラップを取り付けた浴室ユニットの部分断面図である。
【図３】本発明の他の実施例に係る排水トラップを取り付けた浴室ユニットの部分断面図である。
【図４】本発明の実施例に係る排水トラップを取り付けた浴室ユニットの洗い場床２００の斜視図である。
【図５】本発明の実施例に係る排水トラップを取り付けた浴室ユニットの洗い場床２００の斜視図である。
【図６】本発明の実施例に係る排水トラップを取り付けた浴室ユニットの洗い場床２００の斜視図である。
【符号の説明】
１  排水トラップ
１  溜水部
３  排水外筒
３ａ  排水口
４  環状蓋
５  封水筒
６  取付フランジ
７  気密パッキン
８  トラップカバー
２００  洗い場床
２０１  ピット
３００  建築躯体表面
４００  浴槽
５００  排水管
α  封水面
【図１】
2004183411.tif 000003
【図２】
2004183411.tif 000004
【図３】
2004183411.tif 000005
【図４】
2004183411.tif 000006
【図５】
2004183411.tif 000007
【図６】
2004183411.tif 000008